【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
複数の画像感知領域を有する低解像度センサを備えた第１のカメラと、
それぞれが前記複数の画像感知領域の部分集合のそれぞれと関連する複数の高解像度カメラとを備え、
前記第１のカメラが感知した画像に基づいて動きを検出し、該動きに基づいて前記画像感知領域の部分集合の少なくとも一つを特定し、前記特定された画像感知領域の部分集合の少なくとも一つに関連する少なくとも一つの前記高解像度カメラの電源を投入する構成とした、ことを特徴とする動き検出カメラシステム。
【請求項２】
前記高解像度カメラに結合され、該高解像度カメラが捕捉した高解像度画像を記憶する記憶媒体をさらに備える、ことを特徴とする請求項１に記載の動き検出カメラシステム。
【請求項３】
前記低解像度画像センサは、１０００未満の画素を有する、ことを特徴とする請求項１に記載の動き検出カメラシステム。
【請求項４】
前記低解像度画像センサは、３００未満の画素を有する、ことを特徴とする請求項１に記載の動き検出カメラシステム。
【請求項５】
前記各高解像度カメラは、少なくとも３００，０００画素を有する画像センサを具備する、ことを特徴とする請求項１に記載の動きを検出カメラシステム。
【請求項６】
前記低解像度画像センサはＣＭＯＳ画像センサを具備する、ことを特徴とする請求項１に記載の動きを検出カメラシステム。
【請求項７】
前記各高解像度カメラは高解像度ＣＭＯＳ画像センサを具備する、ことを特徴とする請求項６に記載の動きを検出カメラシステム。
【請求項８】
前記第１のカメラは、前記複数の高解像度カメラの合成視野となる視野を有する、ことを特徴とする請求項１に記載の動きを検出カメラシステム。
【請求項９】
低解像度カメラと複数の高解像度カメラとを用いて、動く被写体の高解像度画像を自動的に捕捉する画像捕捉方法であって、
前記低解像度カメラを用いてシーンの複数の低解像度画像を捕捉することと、
前記低解像度画像間の比較に基づいて前記シーン内を動く少なくとも一つの被写体の動きを検出することと、
前記検出した動きのそれぞれの場所に基づき前記高解像度カメラの電源を選択的に投入し、それによって前記少なくとも一つの被写体が前記シーン内を移動する際に該少なくとも一つの被写体を前記高解像度カメラを用いて追跡することと、
前記電源が投入された前記高解像度カメラを用いて前記被写体の高解像度画像を捕捉することとを有する、ことを特徴とする画像捕捉方法。
【請求項１０】
前記低解像度カメラは第１の視野を有し、前記各高解像度カメラは前記第１の視野のそれぞれの部分集合である視野を有する、ことを特徴とする請求項９に記載の画像捕捉方法。
【請求項１１】
前記高解像度カメラが捕捉した高解像度画像を記憶媒体に記憶することをさらに有する、ことを特徴とする請求項９に記載の画像捕捉方法。
【請求項１２】
シーンの低解像度画像を捕捉して、該補足された低解像度画像に基づいて該シーン内の被写体の動きを検出するように構成された低解像度カメラと、
それぞれが前記シーンの部分集合のそれぞれの高解像度画像を捕捉する複数の高解像度カメラとを備え、
前記低解像度カメラが前記被写体の前記検出の場所に基づいて、前記高解像度カメラに個別に電源を投入する構成とした、ことを特徴とする低電力監視カメラシステム。
【請求項１３】
前記高解像度カメラに結合され、該高解像度カメラが捕捉した高解像度画像を記憶する記憶媒体をさらに備える、ことを特徴とする請求項１２に記載の低電力監視カメラシステム。
【請求項１４】
前記低解像度カメラが２５０以上１０００未満の画素を有する低解像度画像センサを具備する、ことを特徴とする請求項１２に記載の低電力監視カメラシステム。
【請求項１５】
前記各高解像度カメラは、少なくとも３００，０００画素を有する画像センサを具備する、ことを特徴とする請求項１２に記載の低電力監視カメラシステム。
【請求項１６】
前記各高解像度カメラの前記画像センサは高解像度ＣＭＯＳ画像センサである、ことを特徴とする請求項１５に記載の低電力監視カメラシステム。
【請求項１７】
前記低解像度カメラは、前記複数の高解像度カメラの合成視野となる視野を有する、ことを特徴とする請求項１２に記載の低電力監視カメラシステム。
【手続補正２】
【補正対象書類名】明細書
【補正対象項目名】００３５
【補正方法】変更
【補正の内容】
【００３５】
（実施態様１）：複数の画像感知領域（４０４）を有する低解像度センサ（３０４）を備えた第１のカメラ（１０４）と、それぞれが一組の前記複数の画像感知領域と関連する複数の高解像度カメラ（１０６Ａ〜１０６Ｏ）とを備え、前記第１のカメラが感知した画像に基づいて動きを検出し、該動きに基づいて一組の前記画像感知領域を特定し、前記特定された一組の画像感知領域に関連する前記高解像度カメラの電源を投入する構成とした動き検出カメラシステム（１００）。
【手続補正３】
【補正対象書類名】明細書
【補正対象項目名】００３６
【補正方法】変更
【補正の内容】
【００３６】
（実施態様２）：前記高解像度カメラに結合され、該高解像度カメラが捕捉した高解像度画像を記憶する記憶媒体（２０２）をさらに備える、ことを特徴とする実施態様１記載の動き検出カメラシステム（１００）。
【手続補正４】
【補正対象書類名】明細書
【補正対象項目名】００３７
【補正方法】変更
【補正の内容】
【００３７】
（実施態様３）：前記第１のカメラが、前記特定された組の画像感知領域に関連する前記高解像度カメラの電源を遮断する構成とした、ことを特徴とする実施態様１記載の動き検出カメラシステム（１００）。
【手続補正５】
【補正対象書類名】明細書
【補正対象項目名】００３８
【補正方法】変更
【補正の内容】
【００３８】
（実施態様４）：前記低解像度画像センサは、約１０００未満の画素（４０２）を有する、ことを特徴とする実施態様１記載の動き検出カメラシステム（１００）。
【手続補正６】
【補正対象書類名】明細書
【補正対象項目名】００３９
【補正方法】変更
【補正の内容】
【００３９】
（実施態様５）：前記低解像度画像センサは、約３００未満の画素（４０２）を有する、ことを特徴とする実施態様１記載の動き検出カメラシステム（１００）。
【手続補正７】
【補正対象書類名】明細書
【補正対象項目名】００４０
【補正方法】変更
【補正の内容】
【００４０】
（実施態様６）：前記各高解像度カメラは、少なくとも約３００，０００画素を有する画像センサを具備する、ことを特徴とする実施態様１記載の動き検出カメラシステム（１００）。
【手続補正８】
【補正対象書類名】明細書
【補正対象項目名】００４１
【補正方法】変更
【補正の内容】
【００４１】
（実施態様７）：前記低解像度画像センサはＣＭＯＳ画像センサであり、前記各高解像度カメラは高解像度ＣＭＯＳ画像センサを具備する、ことを特徴とする実施態様１記載の動き検出カメラシステム（１００）。
【手続補正９】
【補正対象書類名】明細書
【補正対象項目名】００４２
【補正方法】変更
【補正の内容】
【００４２】
（実施態様８）：前記第１のカメラは、前記複数の高解像度カメラの合成視野とほぼ同じ視野を有する、ことを特徴とする実施態様１記載の動き検出カメラシステム（１００）。